(57)【要約】      （修正有）【課題】周辺に天井や壁がなくても監視カメラの設置が行え、かつ監視カメラ用配線の大掛かりな敷設工事を必要としない傾斜型乗客コンベアを提供する。【解決手段】傾斜型乗客コンベアの上部乗降床及び下部乗降床の近傍に夫々支柱１４を立設すると共に、これら支柱１４内に夫々監視カメラ１５を内蔵し、かつ前記支柱１４に監視カメラ用の監視窓１６を形成したのである。上記構成とすることで、周囲に天井や壁がなくても監視カメラ１５の設置が行え、かつ監視カメラ用配線１８の敷設工事も上部乗降床及び下部乗降床から支柱１４までの短距離を行うだけなので、容易に行うことができる。【選択図】図１
2006206283.tif 000002
【特許請求の範囲】
【請求項１】
上部乗降床と下部乗降床間の乗客の動作を監視する監視カメラを備えた傾斜型乗客コンベアにおいて、上部乗降床及び下部乗降床の近傍に夫々支柱を立設すると共に、これら支柱内に夫々監視カメラを内蔵し、かつ前記支柱に監視カメラ用の監視窓を形成したことを特徴とする傾斜型乗客コンベア。
【請求項２】
乗客検出センサを内蔵した支柱を上部乗降床及び下部乗降床の近傍に夫々立設して乗客の乗降を検出するようにした傾斜型乗客コンベアにおいて、前記支柱の夫々に監視カメラを内蔵させると共に、前記支柱に監視カメラ用の監視窓を形成したことを特徴とする傾斜型乗客コンベア。
【請求項３】
前記下部乗降床側の支柱に内蔵された監視カメラは、下部乗降床から踏板の上部方向転換部までの区間を監視し、前記上部乗降床側の支柱に内蔵された監視カメラは、上部乗降床から踏板の上部方向転換部までの区間を監視するように設置されていることを特徴とする請求項１又は２記載の傾斜型乗客コンベア。
【請求項４】
前記支柱の監視窓は、光透過型の保護カバーで覆われていることを特徴とする請求項１又は２記載の傾斜型乗客コンベア。
【請求項５】
前記光透過型の保護カバーは、監視カメラ側からの光よりも監視カメラ側への光を通過させるものである請求項４記載の傾斜型乗客コンベア。
【請求項６】
前記支柱は、前記上部乗降床及び下部乗降床近傍に設けた誘導柵を構成するものである請求項１，２，３，４又は５記載の傾斜型乗客コンベア。
【発明の詳細な説明】
【技術分野】
【０００１】
本発明は傾斜区間において隣接踏板に段差が生じるエスカレーターや傾斜区間においても隣接踏板間に段差が生じない傾斜型乗客コンベアに係り、特に、乗客の動作を監視する監視カメラを備えた傾斜型乗客コンベアに関する。
【背景技術】
【０００２】
乗客の動作を監視する監視カメラを備えた傾斜型乗客コンベアは、例えば特許文献１に開示されているように、傾斜型乗客コンベアの上方に設置しているのが一般的である。
【０００３】
【特許文献１】特開２００４−８３２０７号公報
【発明の開示】
【発明が解決しようとする課題】
【０００４】
監視カメラを備えた上方に備えた傾斜型乗客コンベアにおいては、周辺に天井や壁がない場合には設置ができず、また、監視カメラによる監視を傾斜型乗客コンベアの運転制御に連動させる場合には、監視カメラから傾斜型乗客コンベア内の制御装置までの配線の敷設及び付設工事を必要とするなど、色々な制限があった。
【０００５】
本発明の目的は、周辺に天井や壁がなくても監視カメラの設置が行え、かつ監視カメラ用配線の大掛かりな敷設工事を必要としない傾斜型乗客コンベアを提供することにある。
【課題を解決するための手段】
【０００６】
本発明は上記目的を達成するために、傾斜型乗客コンベアの上部乗降床及び下部乗降床の近傍に夫々支柱を立設すると共に、これら支柱内に夫々監視カメラを内蔵し、かつ前記支柱に監視カメラ用の監視窓を形成したのである。
【０００７】
上記構成とすることで、周囲に天井や壁がなくても監視カメラの設置が行え、かつ監視カメラ用配線の敷設工事も乗降床から支柱までの短距離を行うだけなので、容易に行うことができる。
【発明の効果】
【０００８】
このように本発明によれば、周囲に天井や壁がなくても監視カメラの設置を行うことができ、かつ監視カメラ用配線の敷設工事も大掛かりとすることなく容易に行うことができる。
【発明を実施するための最良の形態】
【０００９】
以下本発明による傾斜型乗客コンベアの第１の実施の形態を、図１〜図３に示すエスカレーターに基づいて説明する。
【００１０】
エスカレーター１は、上階床２と下階床３とに跨って設置された主枠４と、この主枠４内の長手方向両端部に軸支された駆動スプロケット５及び従動スプロケット６と、これら駆動スプロケット５及び従動スプロケット６に無端状に巻掛けられた踏段チェーン（図示せず）に連結された複数の踏板７と、これら踏板７の移動方向両側に立設された欄干８と、この欄干８の周縁に案内されて前記踏板７と同期して移動する移動手摺９と、前記主枠４の長手方向両端部に設置され前記踏板７への乗降を行う上部乗降床１０及び下部乗降床１１とを備えている。
【００１１】
上記構成のエスカレーター１の前記上部乗降床１０及び下部乗降床１１の近傍には、乗客が整列して乗降し、かつ一般の通行人が前記上部乗降床１０及び下部乗降床１１を横切らないように誘導柵１２，１３が設置されている。
【００１２】
これら誘導柵１２，１３の支柱１４は中空になっており、その中空内部に監視カメラ１５を内蔵し、かつ前記支柱１４に監視カメラ用の監視窓１６を形成している。そして、この監視窓１６は、例えば透明強化ガラスや透明アクリル樹脂によって形成された光透過型の保護カバー１７で塞ぎ、塵埃や水滴等が監視カメラ１５に付着するのを防止したり、監視窓１６内に手指を入れたりしないようにしている。望ましくは、保護カバー１７に偏光機能を持たせて、監視カメラ１５側からの光よりも監視カメラ１５側への光を多く通過させることにより、乗客から監視窓１６を通して監視カメラ１５の存在を分かりにくくしたほうが、いたずらを防止することができる。
【００１３】
前記監視カメラ１５からは映像信号線１８が引き出されており、この映像信号線１８はエスカレーター１の制御装置１９の記録手段に接続されており、時計と連動した画像を記録するように構成されている。
【００１４】
また、前記監視カメラ１５は、上階床２側に１つと、下階床３側に１つ設置すればよく、上階床２側の監視カメラ１５は、図３に示すように、上部乗降床１０から踏板７の上部方向転換部Ｒまでの区間を監視し、下階床３側の監視カメラ１５は、下部乗降床１１から踏板７の上部方向転換部Ｒまでの区間を監視するように設置されている。
【００１５】
以上のように監視カメラ１５を、上部乗降床１０及び下部乗降床１１の近傍に立設された誘導柵１２，１３を利用して設置したので、エスカレーター１の周辺に天井や壁がなくても監視カメラ１５の設置が可能となり、また、監視カメラ１５の映像信号線１８の敷設も、誘導柵１２，１３内を通してエスカレーター１の主枠４内に引き込み、制御装置１９に接続するだけなので、建屋（上階床２及び下階床３）側に対する映像信号線１８の敷設工事を必要とすることはない。
【００１６】
ところで、上記実施の形態においては、誘導柵１２，１３を利用して監視カメラ１５を設置したものであるが、誘導柵１２，１３を備えていないエスカレーター１においては、上部乗降床１０及び下部乗降床１１を利用して専用の監視カメラ用支柱を立設するようにしてもよい。このように、上部乗降床１０及び下部乗降床１１を利用して監視カメラ用支柱を立設することで、建屋側の映像信号線１８の敷設工事は勿論のこと、監視カメラ用支柱の設置工事を必要とすることはない。
【００１７】
一方、近年のエスカレーター１は、乗客を検出して停止状態にある踏板７を駆動させたり、乗客の状態を検出して踏板７の移動速度を変化させたりして自動運転を行うために、上部乗降床１０及び下部乗降床１１近傍にセンサ用支柱を立設し、このセンサ支柱に乗客検出センサを設置している。本発明を実施するにあたり、このようなセンサ支柱を利用して監視用カメラ１５を設置することで、専用の監視カメラ用支柱を省略することができると共に、乗客検出センサの配線敷設工事を利用して監視カメラ用の配線敷設工事を行うことができるので、監視カメラ１５用単独での配線敷設工事を行う必要はない。
【００１８】
以上説明したように本発明によれば、周囲に天井や壁がなくても監視カメラの設置を行うことができ、かつ監視カメラ用配線の敷設工事も大掛かりとすることなく容易に行うことができる。
【００１９】
ところで、上記実施の形態において、傾斜型乗客コンベアとしてエスカレーターを例示して説明したが、本発明は傾斜型の電動道路にも適用できるのは勿論である。
【図面の簡単な説明】
【００２０】
【図１】本発明による傾斜型乗客コンベアであるエスカレーターの誘導柵の支柱の一部を示す拡大縦断面図。
【図２】本発明による傾斜型乗客コンベアであるエスカレーターを示す概略側面図。
【図３】図１の平面図。
【符号の説明】
【００２１】
１…エスカレーター、２…上階床、３…下階床、４…主枠、７…踏板、１０…上部乗降床、１１…下部乗降床、１２，１３…誘導柵、１４…支柱、１５…監視カメラ、１６…監視窓、１７…保護カバー。
【図１】
2006206283.tif 000003
【図２】
2006206283.tif 000004
【図３】
2006206283.tif 000005